(57)【要約】      （修正有）【課題】ゲート式駐車場の駐車料金精算は、通常車の窓を開けて行うが、左ハンドル車や大きな車両の場合は精算機までの距離が長く、普通車でも雨天の場合は紙幣での支払いがスムーズにできない。屋内の商業施設のゲート式駐車場では、事前精算機を設置して料金の支払いを済ませることが出来て便利であるが、事前精算機の設置費がかさむという欠点がある。そこでゲート式駐車場の出口精算機に事前精算機の機能を付加し、通常の精算機能及び事前に料金の支払いを済ませる機能を提供する。【解決手段】出口精算機に事前精算ボタンを設けるなどして、このボタンが押されたら、事前精算モードに切り替えて、事前精算を受け付けられるようにするとともに、事前精算後駐車開始時刻をリセットし、ゲートは作動させないようにする。これにより、設備費用の増加をほとんどさせることなく、出口精算機を事前精算機としても使えるようにした。【選択図】図５
2016018512.tif 000002
【特許請求の範囲】
【請求項１】
駐車券を発行する駐車券発券機と、駐車料金の請求、受け取り、領収書発行などを行う出口精算機と、入口と出口に開閉自在のゲートを設けたゲート式駐車場において、出口精算機に事前精算モードと通常精算モードを設け、且つ事前精算モードに入るための手段を設けた出口精算機
【請求項２】
請求項１の事前精算モードと通常精算モードを設け、且つ事前精算モードに入るための手段を設けた出口精算機において、該事前モードに入るための手段として、出口精算機又はその近くに事前精算ボタンを設け、該精算ボタンが押された時、精算機の動作モードを通常精算モードから事前精算モードに切り替えることができるようにした出口精算機
【請求項３】
請求項１の事前精算モードと通常精算モードを設け、且つ事前精算モードに入るための手段を設けた出口精算機において、該事前精算モードに入るための手段として、出口精算機の正面付近に人感センサーを設け、該人感センサーが作動し且つ車両検出センサーが不作動の時には、精算機のモードを事前精算モードに切り替えるようにした出口精算機
【請求項４】
請求項１、２及び３の出口精算機において、事前精算モードが起動した状態で、駐車料金の支払いが行われた時には、出口ゲートは解放しないようにした駐車場システム
【請求項５】
請求項１、２、３及び４の出口精算機を設けたゲート式駐車場において、事前精算モードが作動しているときには、出口精算機前への車両の侵入を防止する警告表示、アラーム装置などの安全装置を備えた駐車場システム
【請求項６】
請求項２の出口精算機において、人感センサーは、体重を検出するセンサーであることを特長とする出口精算機
【発明の詳細な説明】
【技術分野】
【０００１】
本発明は、ゲート式駐車場の精算機に関する。
【背景技術】
【０００２】
ゲート式駐車場では、入場の際に発券機で入場時刻を印字した駐車券を発行し、出場の際に出口ゲートに付近に設置された出口精算機の精算口に駐車券を投入することによって、
一連の駐車料金支払いプロセスが行われる。料金の支払い後は、ゲートが開き退場することができる。
【０００３】
出口精算機による料金の投入は、一般に車両の窓を開けて手を伸ばし料金投入口に紙幣やコインを投入するが、屋外の駐車場で雨が降っているときや、車両から精算機までの距離が長くなる比較的大型の車両の場合、あるいは左ハンドルの車両の場合には、特に紙幣の投入に苦労することが多い。
【０００４】
一方、屋内駐車場や商業施設の駐車場では、車両が入退場する車両用出入り口とは別の場所に、駐車場へ人が出入りする出入り口があり、そこで駐車料金を精算する事前精算機が設置されている場合が多い（特許文献１）。
【０００５】
このような事前精算機は、車両用の出口に設置された出口精算機とは違って、料金投入口に近寄って料金の支払いができるため、車両出口での精算よりずっと利用しやすい上、利用者に割引サービスをするなどの機能も付加する例（特許文献２）があり、利用者にとって大きな利点がある。
【０００６】
また、事前精算機で、駐車券に再利用する駐車券であることを示すＩＤコードを印字して返却するシステムも開示されている（特許文献３、４）。駐車券の再利用は資源の節約や割引の対象になる等の利点がある。
【０００７】
さらにまた、駐車場の出入り口に車番認識用のカメラシステムを置き、駐車券と車番を紐つけすることによって、事前精算機で精算済みの車両が来た場合は、駐車券を投入することなく、ゲートを開くシステムも実用化されている（特許文献５）。
【０００８】
しかし、事前精算機の設置は、利便性は高いが駐車場設備のコスト増加を招いているという欠点がある。
また、商業施設の駐車場と違って、一般の屋外駐車場の場合、駐車場から人が出入りする出入り口が１か所に限らずいくつもある場合も多い。このような場合、事前精算機の置き場所が決められないといった問題がある。
【先行技術文献】
【特許文献】
【０００９】
【特許文献１】特開２００８−２０４２７３
【特許文献２】特開２０１３−２４６５２０
【特許文献３】特開２００１−２９１７９１
【特許文献４】特開２０１１−１３４０３６
【特許文献５】特開２００３−１３２３７９
【発明の概要】
【発明が解決しようとする課題】
【００１０】
本発明は、独立した事前精算機を置けないような一般のゲート式駐車場においても、事前精算ができるように、事前精算機能を付加した出口精算機を提供しようとするものである
【００１１】
すなわち、比較的規模の小さい一般のゲート式駐車場では、駐車場所と出口精算機のある出口ゲートとの距離がそれほど離れていないので、フラップ式の駐車場のように人の出入り口近辺にある精算機に立ち寄って駐車券を投入し、駐車料金を支払い、入場時刻をリセットした駐車券を受け取り、実際に退場する時には、支払い済みの駐車券を精算口に投入するだけで退場できるような方法が可能である。
【００１２】
このようにすれば、屋外の駐車場で降雨の場合でも、あるいは大型の車両や左ハンドルの車両であっても、面倒な紙幣による駐車料金を車上から、あるいは降りて投入しなくてもよい。
【００１３】
しかし、このようなシステムを実用化する場合、人が事前精算をしているときに車両が出口に向かってくるような危険な状況を防止する対策などが必要になる。
【課題を解決するための手段】
【００１４】
本発明では、出口精算機に、通常の出口精算をして退場するモードの他に、事前精算ボタンを押すなどの方法によって事前精算モードに切り替わる機構を設けて、出口精算機に事前精算機能を持たせた。
【００１５】
このような事前精算機能を付加した出口精算機では、事前精算モードに入った時に料金の精算をしても危険なゲートの開閉をしないようにしたり、人が事前精算をしているときに車両が出口に向かってくるような危険な状況を防止したりすることが必要になる。そこで本発明では、人が事前精算をしているときには、車両が近づかないような警報装置を設けた。
【００１６】
また、事前精算は、ゲート付近に車両がいないときのみできること、間違って事前精算ボタンを押すなどのケースが起こっても、一定の時間後に自動的に通常精算モードに復帰するなどの機能を持たせた。
【００１７】
本発明は、以上に述べたような方法で、出口精算機に事前精算機能を持たせた新しい精算機を提供できる。
【発明の効果】
【００１８】
本発明によれば、事前精算機能を付加した出口精算機であらかじめ事前精算をすることによって、利用者が駐車場を出るときに車両上から駐車料金を支払う不便をなくし、かつ駐車場設置事業者にとっても、独立した事前精算機を置く場所が決められないとか、設備費が高価すぎるといった欠点のない駐車場を提供できる。
【図面の簡単な説明】
【００１９】
【図１】は、ゲート式駐車場の代表的な配置図を示す。
【図２】は、本発明の事前精算機能を付加した出口精算機の正面パネルの例を示す図である。
【図３】は、ゲート式駐車場の一般的な入場時の駐車券発行プロセスを示す図である。
【図４】は、ゲート式駐車場の一般的な退場時の料金徴収プロセスを示す図である。
【図５】は、本発明の事前精算機能を付加した出口精算機での駐車料金精算プロセスを示す図である。
【図６】は、本発明の事前精算機能を付加した出口精算機と安全確保の仕組みを示す図である。
【発明を実施するための形態】
【実施例１】
【００２０】
図１は、代表的なゲート式駐車場１の配置図を示すものであるが、車両に入口２には駐車券の発券機３と発券後開かれるゲートバー４がある。その隣には、車両の出口5があり、出口精算機６と精算後開くゲートバー7がある。人は、人の出入り口８を通って出入りする。駐車場には多数の車室９が用意されている。
【００２１】
これまでの駐車場では、出口精算機６は、車両が出口に入った時に車両を検出し、精算機の前面パネルの駐車券投入口に駐車券を投入することによって、駐車料金が表示される。
本発明では、この出口精算機に事前精算の機能を付加して、駐車場の利用者が車に戻る前に、事前精算をできるようにした。
【００２２】
図２は、本発明の事前精算機能を付加した出口精算機のパネル２１の例を示すものである。駐車券の挿入口２２、駐車料金の表示盤２３、紙幣の投入口２４、コインの投入口２５、つり銭や領収書の発行部２、領収書ボタン２７、取り消しボタン２８、紛失ボタン２９、不良表示灯３０、スピーカ３１が備わっている。本発明では、これらに加えて、事前精算ボタン３２を追加している。
【００２３】
図３は、一般的なゲート式駐車場の入場時の駐車券発行プロセスを示すものである。車両が駐車場の入口（図１の２）に入ると、ループコイルなどの車両センサがそれを検出し、且つ駐車券発券機の駐車券発行ボタンを押すことにより、駐車券を発行する。その後、入口のゲートバーが開らき、車両は駐車場内に入り、空いている車室に駐車する。入口のゲートバーは、ゲートを通過すると自動的に閉じる。
【００２４】
図４は、一般的なゲート式駐車場の退場時の料金精算プロセスを示すものである。車両が出口ゲートにある出口精算機６の前に来ると、車両検出センサが働き、出口精算が可能な状態に入る。ここで、駐車券を駐車券の挿入口に挿入すると、駐車料金表示盤に駐車料金が表示され、紙幣やコインを投入口２４や２５に投入する。支払いが終わると、領収書希望の有無のアナウンスがスピーカ３１からながれ、必要な場合には、領収書とつり銭が排出される。料金の支払いと同時に出口のゲートバー7が開き、車両は駐車場から退出でき、ゲートバーも車両の退出を検出して自動的に閉まり、次の退場車を待つ状態に戻る。
【００２５】
以上の従来の出口精算機による精算プロセスに対して、本発明の事前精算機能を付加した出口精算機による便利な精算プロセスを図５に示す。便利な事前精算は、図２の事前精算ボタン３２を押すことによって開始される。
【００２６】
駐車場の利用者は、駐車場に戻った時、事前精算機能を付加した出口精算機の事前精算ボタン３２を押すと、出口精算機６は、車両が出口に来ていないことを出口センサにより確認し、事前精算モードに入る。
【００２７】
事前精算モードに入ると、駐車券の受付が可能になるので、駐車券をカード投入口に入れる。その結果、駐車料金表示盤２３に駐車料金が表示されるので、紙幣やコインを所定の料金投入口に投入する。このあと、本発明の事前精算機能を付加した出口精算機６は、つり銭や、希望により領収書を発行する。ここまでは、従来の出口精算機と同じであるが、このあと、本発明の出口精算機では、駐車場への入場時刻を精算時にリセットし、返却する機能を持たせてある。
【００２８】
また、このような事前精算の場合には、通常では料金に支払いとともに出口のゲートバー７が開くのとは違って、ゲートバーは安全のため開かないようにしてある。
【００２９】
事前精算を済ませた駐車場の利用者は、自分の車に戻って、退場のため出口ゲート部に入る。この時は、既に事前精算が終わっているので、再び事前精算ボタンを押すことはない。
【００３０】
本発明の事前精算機能を付加した出口精算機６は、通常モードに入り、駐車券の投入を求めてくる。この時、既に事前精算を済ませて、入場時刻がリセットされた駐車券を挿入すると、事前精算終了後一定の時間内であれば、料金はゼロ円と表示される。駐車券は、そのまま返却されるか、もしくは精算機が保管する。そして、出口ゲートバー７が開き、車両は駐車場から退場できる。
【００３１】
事前精算をしない場合は、事前精算ボタンが押されないので、最初から通常モードに入る。この場合は、従来と全く変わらない。
【００３２】
図６は、事前精算機能を付加した出口精算機で、事前精算をする場合の利用者の安全を確保する手段を示したものである。事前精算機能を付加した出口精算機６の正面パネルの前には、人検知センサ４５が設置されており、事前精算のために人が立つと、精算機の上部などに設けた点滅警告灯などの注意喚起手段が作動する。これにより人が事前精算をしている時に出口ゲートに車両が入ることを防止する。
【実施例２】
【００３３】
以上実施例１として説明した事前精算モードへの切り替えは、事前精算ボタン３２を押し、且つ車両が出口ゲートに来ていないことを車両センサで確認して行われる。別の方法としては、図６に示すように、人が事前精算機能を付加した出口精算機の前に立った時、それを検知する人検知センサを設け、この人検出センサが働き、且つ車両が出口ゲート前に来ていない時に、事前精算モードに入れようにしても良い。この場合は、従来の出口精算機に事前精算ボタンを付ける必要がないので、より経済的である。
【００３４】
人検知センサ４５としては、精算機前に人が立った時にその体重を検出するセンサが利用できるが、ほかにも撮影画像から顔を検出する顔認識装置や体温などを検出するセンサも利用可能である。
【実施例３】
【００３５】
実施例１では、事前精算ボタンを、精算機の正面パネル上に設けたが、事前精算ボタンの取り付け場所は、精算機の側面や、裏面など精算機の近辺の安全で使いやすい場所ならどこでも差し支えない。
【実施例４】
【００３６】
実施例１では、事前精算の時、駐車券の入場時刻を精算時にリセットして返却する方法を示したが、入場時刻をリセットするのではなく、駐車券に事前精算済みのマークを印字するなどして返却する方法も採用できる。
【産業上の利用可能性】
【００３７】
以上述べたように本発明は、独立した事前精算機を置くことなく、出口精算機に事前精算機の機能を付加したので、経済的な駐車場設備となる上、利用者にとっては、特に車上から紙幣の投入しなければならない従来方式より、格段に利便性がある。従って、本発明に事前精算機能を付加した出口精算機の提供は、産業上大きな意義がある。
【符号の説明】
【００３８】
１  ゲート式駐車場    ２  車両入場口、
３  駐車券発券機      ４  入り口ゲートバー      ５  車両出口，
６  出口精算機        ７  出口ゲートバー        ８  人の出入り口  
９  車室
２１  事前精算機能付き出口精算機のパネル        ２２  駐車券投入口  
２３  料金表示盤            ２４  紙幣投入口    ２５  コイン投入口  
２６  釣銭・領収書発行部    ２７  領収書ボタン  
２８  取り消しボタン        ２９  紛失ボタン
３０  不良表示灯            ３１  スピーカ      ３２  事前精算ボタン
４１  車両出口      ４２  事前精算機能付き出口精算機  
４３  ゲートバー    ４４  車両検出センサ    
４５  信号線        ４６  人検知センサ
４７  信号線    ，  ４８  赤色点滅灯      
【図１】
2016018512.tif 000003
【図２】
2016018512.tif 000004
【図３】
2016018512.tif 000005
【図４】
2016018512.tif 000006
【図５】
2016018512.tif 000007
【図６】
2016018512.tif 000008